(57)【要約】  複数の伝送装置のそれぞれがダミー光による信号の補償を行うと、合波において、当該複数の伝送装置による当該補償が影響しあい、当該補償が期待通りの効果を生じない。本発明の伝送装置は、第１の信号を送信する送信部と、前記送信部が送信する第１の信号を補償するためのダミー信号を生成する生成部と、前記第１の信号と、前記ダミー信号とを合成する合成部と、を有し、前記生成部は、前記第１の信号と前記ダミー信号とを合成した第２の信号の強度が一定になるように、生成する前記ダミー信号の強度を調整することを特徴とする。
2015045311.tif 000002
【特許請求の範囲】
【請求項１】
第１の信号を送信する送信手段と、
前記送信手段が送信する第１の信号を補償するためのダミー信号を生成する生成手段と、
前記第１の信号と、前記ダミー信号とを合成する合成手段と、を有し、
前記生成手段は、前記第１の信号と前記ダミー信号とを合成した第２の信号の強度が一定になるように、生成する前記ダミー信号の強度を調整すること
を特徴とする伝送装置。
【請求項２】
前記第２の信号の強度を測定する測定手段を有し、
前記生成手段は、前記測定手段が測定した前記第２の信号の強度が一定になるように、生成する前記ダミー信号の強度を決定すること
を特徴とする請求項１に記載の伝送装置。
【請求項３】
前記生成手段は、前記第２の信号を伝送するための前記伝送路に障害が生じてから所定の時間経過後に、前記ダミー信号の生成を開始すること
を特徴とする請求項１又は２に記載の伝送装置。
【請求項４】
前記生成手段に対してダミー信号の生成を要求する監視手段を有し、
前記生成手段は、前記監視手段からの要求に応じて、前記ダミー信号の生成を開始することを特徴とする請求項１又は２に記載の伝送装置。
【請求項５】
前記監視手段は、前記第１の信号を受信する対向装置における前記第１の信号の受信品質が所定の閾値よりも高い場合に、前記送信手段に対して前記第１の信号の強度の調整を要求すること
を特徴とする請求項４に記載の伝送装置。
【請求項６】
前記送信手段を複数有し、
前記監視手段は、前記複数の送信手段から送信された第１の信号のうち、受信品質が所定の閾値よりも高い第１の信号を送信した送信手段に対して、前記第１の信号の強度の調整を要求すること
を特徴とする請求項４又は５に記載の伝送装置。
【請求項７】
前記監視手段は、前記複数の送信手段のそれぞれから送信された全ての第１の信号の受信品質が所定の閾値よりも低くなるまで、前記送信手段に対して前記第１の信号の強度の調整を要求すること
を特徴とする請求項４乃至６のいずれかに記載の伝送装置。
【請求項８】
受信する信号の強度に基づいて、前記伝送路に障害が生じたことを検出する障害検出手段を有し、
前記監視手段は、前記障害検出手段から前記伝送路に障害が生じたことを通知された場合に、前記送信手段に対して前記第１の信号の強度の調整を要求すること
を特徴とする請求項４乃至７のいずれかに記載の伝送装置。
【請求項９】
第１の信号を送信する送信手段と、
前記送信手段が送信する第１の信号を補償するためのダミー信号を生成する生成手段と、
前記第１の信号と、前記ダミー信号とを合成する合成手段と、を有する複数の伝送装置を含み、
前記生成手段は、前記第１の信号と前記ダミー信号とを合成した第２の信号の強度が一定になるように、生成する前記ダミー信号の強度を調整すること
を特徴とする伝送システム。
【請求項１０】
第１の信号を送信し、
前記第１の信号を補償するためのダミー信号を生成し、
前記第１の信号と、前記ダミー信号とを合成し、
前記第１の信号と前記ダミー信号とを合成した第２の信号の強度が一定になるように、生成する前記ダミー信号の強度を調整すること
を特徴とする伝送方法。
【請求項１１】
第１の信号を送信する処理と、
前記第１の信号を補償するためのダミー信号を生成する処理と、
前記第１の信号と、前記ダミー信号とを合成する処理と、
前記第１の信号と前記ダミー信号とを合成した第２の信号の強度が一定になるように、生成する前記ダミー信号の強度を調整する処理と
をコンピュータに実行させることを特徴とするプログラムが記憶された記憶媒体。
【発明の詳細な説明】
【技術分野】
【０００１】
本発明は、伝送装置、伝送システム、伝送方法及びプログラムが記憶された記憶媒体に関する。
【背景技術】
【０００２】
光の波長単位で、任意に信号を挿入したり、抜き出したりするＯＡＤＭ（Ｏｐｔｉｃａｌ  Ａｄｄ／Ｄｒｏｐ  Ｍｕｌｔｉｐｌｅｘ）機能を有する海底ケーブルシステムは、１つの光ファイバに複数のパスを収容することにより、通信ネットワークの柔軟性を向上させて、設備投資の負担を軽減している。【０００３】
当該ＯＡＤＭ機能を有する海底ケーブルシステムでは、光ファイバで構成されるケーブルを伝送する信号のトータルパワーが一定になるように設定されている。具体的には、ＯＡＤＭ機能を有する海底ケーブルシステムは、当該ケーブルの切断等によって、信号の一部の波長成分が消失した場合には、当該信号の他の波長成分が増幅されることによって、当該信号のトータルパワーが一定に保たれる。【０００４】
しかし、信号の特定の波長成分のパワーだけが増幅されることによって、当該パワーが所定の値以上になると、光ファイバの非線形効果に起因する信号の波形の劣化等を要因として光スペクトルに変化が生じ、当該信号の伝送品質が劣化してしまう。【０００５】
そこで、海底ケーブルシステムは、ケーブルに障害が発生した場合、消失せずに生存している信号群の強度（パワー）レベルをダミー光により補正し、通信品質を担保するＯＡＤＭ  Ｆａｕｌｔ  Ｒｅｃｏｖｅｒｙ機能を備える。【０００６】
特許文献１には、光通信システムにおいて、信号（群）の強度（パワー）レベルを補償する技術について開示されている。当該光通信システムは、送信局からの信号（群）と、ブランチ局からの信号（群）とのパワーレベルの違いを補償するため、ブランチ局から送信された信号（群）にダミー信号を多重して、ダミー光で当該ブランチ局からの信号（群）を補償する。当該補償により、送信局からの信号（群）のパワーレベルと、ブランチ局からの信号（群）とのパワーレベルとをほぼ同じレベルとすることで、システムとしての作動特性の悪化を防止できる。【０００７】
しかしながら、特許文献１に記載の光通信システムでは、ブランチ局からの信号（群）全体に対してダミー光を多重しているので、信号（群）全体のパワーレベルの補償は可能だが、例えば信号（群）に含まれる一部の信号のパワーレベルの補償はできない。【０００８】
これに対して、特許文献２には、端局装置（送信局）内にダミー光生成・調整部を設けることで、端局装置（送信局）ごとに信号のパワーレベルの補償を行う技術が開示されている。特許文献２には、端局装置（送信局）が、ケーブル断障害が発生した場合に光信号断が生じた箇所に応じたダミー光を生成するダミー光生成・調整部を備え、信号のチャネルパワーを一定に保つことが記載されている。【０００９】
海底ケーブルシステムには、１つの光ファイバに互いに異なる拠点間を接続する複数のパスを収容できるので、複数の端局装置（送信局）からの信号を合波して、対向する端局装置（受信局）に送信することができる。したがって、特許文献２のように端局装置ごとにダミー光による信号のパワーレベルの補償を行うことにより、複数の端局装置からの信号を合波した信号（群）の一部の信号について、パワーレベルを補償することが可能となる。
【先行技術文献】
【特許文献】
【００１０】
【特許文献１】特開平１０−１５０４３３号公報
【特許文献２】特開２０１０−２２６１６７号公報
【発明の概要】
【発明が解決しようとする課題】
【００１１】
上述したように、特許文献２では、複数の端局装置（送信局）のそれぞれが、ダミー光による信号のパワーレベルの補償を行う。しかしながら、複数の端局装置（送信局）のそれぞれがダミー光による信号の補償を行うと、合波において、当該複数の端局装置（送信局）による当該補償が互いに影響しあい、当該補償が期待通りの効果を奏さない可能性がある。【００１２】
本発明は、上記の課題を解決するために、複数の伝送装置（端局装置）のそれぞれが、ダミー光による信号の補償を実行した場合にも、当該補償の実効性を担保することができる伝送装置、伝送システム、伝送方法及びプログラムが記憶された記憶媒体を提供することを目的とする。
【課題を解決するための手段】
【００１３】
本発明の伝送装置は、第１の信号を送信する送信手段と、前記送信手段が送信する第１の信号を補償するためのダミー信号を生成する生成手段と、前記第１の信号と、前記ダミー信号とを合成する合成手段と、を有し、前記生成手段は、前記第１の信号と前記ダミー信号とを合成した第２の信号の強度が一定になるように、生成する前記ダミー信号の強度を調整することを特徴とする。【００１４】
本発明の伝送システムは、第１の信号を送信する送信手段と、前記送信手段が送信する第１の信号を補償するためのダミー信号を生成する生成手段と、前記第１の信号と、前記ダミー信号とを合成する合成手段と、を有する複数の伝送装置を含み、前記生成手段は、前記第１の信号と前記ダミー信号とを合成した第２の信号の強度が一定になるように、生成する前記ダミー信号の強度を調整することを特徴とする。【００１５】
本発明の伝送方法は、第１の信号を送信し、前記第１の信号を補償するためのダミー信号を生成し、前記第１の信号と、前記ダミー信号とを合成し、前記第１の信号と前記ダミー信号とを合成した第２の信号の強度が一定になるように、生成する前記ダミー信号の強度を調整することを特徴とする。【００１６】
本発明の記憶媒体に記憶されたプログラムは、第１の信号を送信する処理と、前記第１の信号を補償するためのダミー信号を生成する処理と、前記第１の信号と、前記ダミー信号とを合成する処理と、前記第１の信号と前記ダミー信号とを合成した第２の信号の強度が一定になるように、生成する前記ダミー信号の強度を調整する処理とをコンピュータに実行させることを特徴とする。
【発明の効果】
【００１７】
本発明は、複数の伝送装置（端局装置）のそれぞれが、ダミー光による信号の補償を実行した場合にも、当該補償の実効性を担保することができるという効果がある。
【図面の簡単な説明】
【００１８】
【図１】本発明の第１の実施形態における伝送システムの構成例を示す図である。
【図２】本発明の第１の実施形態における分岐装置における信号の挿入又は分岐の例を示す図である。
【図３】本発明の第１の実施形態におけるトランク局又はブランチ局の構成例を示す図である。
【図４】本発明の第１の実施形態における伝送装置の構成例を示す図である。
【図５】本発明の第１の実施形態における信号の光スペクトラムの例を示す図である。
【図６】本発明の第１の実施形態における信号の光スペクトラムの他の例を示す図である。
【図７】本発明の第１の実施形態における伝送システムの他の構成例を示す図である。
【図８】本発明の第３の実施形態における本発明の第３の実施形態における監視部の動作例を示すフローチャートである。
【図９】本発明の第１の実施形態における光合分波部の動作例を示すフローチャートである。
【図１０】本発明の第２の実施形態における伝送システムの構成例を示す図である。
【図１１】本発明の第３の実施形態の伝送装置の動作例を示すフローチャートである。
【図１２】本発明の第３の実施形態におけるトランク局が受信するＬＯＷの組み合わせと、自動プリエンファシス制御が必要な陸揚局との対応関係を示す表である。
【図１３】本発明の第３の実施形態における他のトランク局が受信するＬＯＷの組み合わせと、自動プリエンファシス制御が必要な陸揚局との対応関係を示す表である。
【図１４】本発明の第３の実施形態におけるブランチ局が受信するＬＯＷの組み合わせと、自動プリエンファシス制御が必要な陸揚局との対応関係を示す表である。
【図１５】本発明の第３の実施形態における伝送装置の動作例を示すフローチャートである。
【図１６】本発明の第３の実施形態における伝送装置の動作例を示すシーケンス図である。
【図１７】本発明の第５の実施形態における伝送装置の構成例を示す図である。
【発明を実施するための形態】
【００１９】
＜第１の実施形態＞
本発明の第１の実施形態について、図面を参照して説明する。なお、この概要に付記した図面参照符号は、理解を助けるための一例として各要素に便宜上付記したものであり、この概要の記載はなんらの限定を意図するものではない。
【００２０】
なお、本発明の第１の実施形態について、光信号を例にして説明するが、本願発明の適用対象は光信号に限定されるものではなく、例えば電気信号にも適用することができる。
【００２１】
本発明の第１の実施形態では、信号の受信側が、受信信号の品質（受信品質）を送信側に通知し、信号の送信側が、通知された受信品質に基づいて送信する信号の強度（パワー）を調整する。そのため、本発明の第１の実施形態では、送信側は、受信側の受信品質に基づいて、送信する信号の強度（パワー）を調整することができるようになる。例えば、通知された受信品質から伝送路に障害が生じていることを検出できれば、伝送路にある中継装置で所定の波長成分の強度が増幅されることが把握できるので、予め送信信号の強度（パワー）を低くして送信することにより、当該特定の波長成分の強度（パワー）の増幅を抑制できる。
【００２２】
なお、本発明の第１の実施形態において、上記のように信号の送信側が、受信側での信号の受信品質に基づいて送信する信号を制御（調整）することを、自動プリエンファシス制御と称す。
【００２３】
ここで、光信号の伝送システムでは、複数の伝送装置（送信局）が存在し、それら複数の伝送装置（送信局）からの信号を合流させて、当該合流させた信号を伝送路によって伝送している。この場合、一の伝送装置（送信局）からの送信信号の強度（パワー）が変化すると、他の伝送装置（送信局）の送信信号に影響を与えてしまう可能性がある。例えば、自動プリエンファシスによって一の伝送装置からの送信信号の強度（パワー）を予め低くして送信すると、他の伝送装置からの送信信号の強度（パワー）が高くなってしまうという懸念がある。
【００２４】
そこで、本発明の第１の実施形態の伝送装置は、ダミー光によって、一の伝送装置（送信局）が送信する信号の強度（パワー）の変化を補償し、当該一の伝送装置が送信する信号の強度（パワー）の変化を抑える（信号のパワーを一定に保つ）。これによって、自動プリエンファシス制御によって当該一の伝送装置から送信される信号が変化した場合であっても、他の伝送装置から送信される信号に対する影響を低減する。
【００２５】
本発明の第１の実施形態では、信号を伝送する伝送路に障害が生じ、当該信号から特定の波長部分（成分）が消失した場合において、一の伝送装置（送信局）が、ダミー光により信号の強度の変化を補償する例を説明する。なお、本発明の第１の実施形態において、ダミー光による信号の強度の補償は、伝送路に障害が生じていない場合に実行されてもよい。
【００２６】
図１は、本発明の第１の実施形態における伝送システムの例を示す図である。本発明の第１の実施形態における伝送システムは、ＯＡＤＭ機能を有する。
【００２７】
図１に示すように、本発明の第１の実施形態における伝送システムは、２つのトランク局１（Ａ局１−１及びＢ局１−２）と１つのブランチ局２（Ｃ局）を含む。なお、伝送システムに含まれるブランチ局２の数は、１つに限られず、複数であってもよい。
【００２８】
また、当該伝送システムは、例えば光ファイバで構成される伝送路３を含む。また、当該伝送システムは、伝送路３における信号の減衰を補償する光中継器４を含む。また、当該伝送システムは、信号を挿入又は分岐する分岐装置５を含む。さらに、当該伝送システムは、トランク局１とブランチ局２との各々を接続するための通信路６を含む。
【００２９】
トランク局１及びブランチ局２は、例えば、海底ケーブルシステムにおける陸揚局である。トランク局１及びブランチ局２のそれぞれは、伝送装置（図１には、図示していない）を備える。伝送装置は、例えば、信号を送受信する手段や、当該信号の監視手段を含む。
【００３０】
また、トランク局１及びブランチ局２のそれぞれは、例えば伝送路３とは異なる回線により提供される通信路６（アウトバウンド通信路）により、例えば信号を送受信するために必要な情報を交換する。なお、トランク局１及びブランチ局２のそれぞれは、伝送路３において、当該トランク局１及びブランチ局２で付与されるオーバーヘッドを利用して提供されるインバウンド通信路によって、当該情報を交換してもよい。また、トランク局１及びブランチ局２のそれぞれは、アウトバウンド通信路とインバウンド通信路との両方を用いて、冗長化された通信路により当該情報を交換してもよい。
【００３１】
伝送路３は、光ファイバで構成され、例えば複数の光ファイバを束ねて構成されていてもよい。トランク局１及びブランチ局２は、伝送路３を介して、互いに信号を送受信する。
【００３２】
光中継器４は、例えば、伝送路３における信号の減衰を補償する手段として機能する。
【００３３】
分岐装置５は、例えば、信号を挿入又は分岐（Ａｄｄ／Ｄｒｏｐ）する手段として機能する。分岐装置５は、例えば、ＯＡＤＭ−ＢＵ（ＯＡＤＭ−ＢＵ：ＯＡＤＭ−Ｂｒａｎｃｈｉｎｇ  Ｕｎｉｔ）により実現される。ＯＡＤＭ−ＢＵは、信号を波長単位で挿入又は分岐するものであり、信号に対して、例えば所望する波長だけを挿入又は分岐することができる。ＯＡＤＭ−ＢＵは、例えば、信号を挿入又は分岐するＡｄｄ／Ｄｒｏｐ部５０を含み、当該Ａｄｄ／Ｄｒｏｐ部５０により信号の挿入又は分岐を行う。
【００３４】
分岐装置５は、例えば、トランク局１からの信号を分岐し、ブランチ局２からの信号を多重する。本発明の第１の実施形態の伝送システムは、分岐装置５によって、トランク局１（例えばＡ局）から送信された信号（群）のうち、所望の信号（又は信号群）を、ブランチ局２（Ｃ局）から送信された信号（又は信号群）に置き換えて、対向するトランク局１（例えばＢ局）に対して送信する。
【００３５】
図２は、分岐装置５における信号の挿入又は分岐の例を示す図である。図２に示すように、トランク局１−１（Ａ局）から送信される信号は、トランク信号ブロックＡと、Ｄｒｏｐ信号ブロックＢとを含む。分岐装置５は、トランク局１−１（Ａ局）から送信される信号のうち、トランク信号ブロックＡを透過させるとともに（すなわち、Ｄｒｏｐ信号ブロックＢは透過しない）、ブランチ局２（Ｃ局）から送出されるＡｄｄ信号ブロックＣと合波する。そして、分岐装置５は、トランク信号ブロックＡと、Ａｄｄ信号ブロックＣとを含む信号を、トランク局１−２（Ｂ局）に送信する。
【００３６】
また、図２に示すように、分岐装置５は、例えば、トランク局１−２（Ｂ局）から送信される信号のうち、トランク信号ブロックＸを透過させるとともに、ブランチ局２（Ｃ局）から送出されるＡｄｄ信号ブロックＺと合波する。そして、分岐装置５は、トランク信号ブロックＸと、Ａｄｄ信号ブロックＺとを含む信号を、トランク局１−１（Ａ局）に送信する。
【００３７】
図３は、本発明の第１の実施形態における、トランク局１又はブランチ局２の構成例を示す図である。図３に示すように、本発明の第１の実施形態において、トランク局１又はブランチ局２は、複数の伝送装置７及び光カプラ８を有する。
【００３８】
伝送装置７は、例えば、信号を送受信する手段や、当該信号の監視手段として機能する。なお、複数の伝送装置７（伝送装置７−１、７−２及び７−３）のそれぞれは、例えば、異なる事業者によって管理されていてもよい。複数の伝送装置７が、異なる事業者によって管理されている場合、トランク信号ブロック、Ａｄｄ信号ブロック及びＤｒｏｐ信号ブロックのそれぞれは、当該異なる事業者からの信号が混在している。また、複数の伝送装置７が、異なる事業者によって管理されている場合、伝送路３を伝送する信号は、波長群単位で異なる事業者による信号が混在している。
【００３９】
図３に示すように、伝送装置７のそれぞれは、複数の光送受信部７０と、光合分波部７１とを含む。
【００４０】
複数の光送受信部７０のぞれぞれは、互いに異なる波長の信号を送受信する。光合分波部７１は、複数の光送受信部７０から受信した互いに異なる波長の信号を合波波長多重信号とする。また、光合分波部７１は、外部から受信した信号を分波し、複数の光送受信部のそれぞれへ送信する。
【００４１】
光カプラ８−１は、複数の伝送装置７のそれぞれから受信した信号を合波する。また、光カプラ８−２は、外部から受信した信号を分岐し、複数の伝送装置７のそれぞれに送信する。
【００４２】
図４は、本発明の第１の実施形態における、伝送装置７の構成例を示す図である。図４に示すように、本発明の第１の実施形態において、伝送装置７は、複数の光送受信部７０と、光合分波部７１と、監視部７２とを有する。
【００４３】
光合分波部７１は、図４に示すように、光分波部７１４と障害検出部７１５とを有する。光分波部７１４は、外部から受信した信号群を分波し、分波した信号をそれぞれ光送受信部７０へ送信する。障害検出部７１５は、外部から受信した信号群の光スペクトラムを監視し、当該信号群を構成する一部の信号（又は一部の信号群）の消失を検知する。障害検出部７１５は、信号の消失を検知した場合には、信号の消失を監視部７２に通知する。
【００４４】
図５は、信号の消失がない場合における、信号の光スペクトラムの例を示す図である。
図５において、縦軸は信号の強度（パワー）であり、横軸は信号の波長である。トランク局１−２（Ｂ局）は、例えば、信号の消失がない場合、トランク局１−１（Ａ局）からのトランク信号ブロックと、ブランチ局２（Ｃ局）からのＡｄｄ信号ブロックとが合波された信号を受信する。
【００４５】
一方、図６は、信号の消失が発生した場合における、信号の光スペクトラムの例を示す図である。図６において、縦軸は信号の強度（パワー）であり、横軸は信号の波長である。図６は、ＯＡＤＭ−ＢＵとブランチ局２（Ｃ局）との間の伝送路３で障害が発生し、トランク局２（Ｃ局）からのＡｄｄ信号ブロックが消失した場合に、トランク局１−２（Ｂ局）が受信する信号の例である。トランク局１−２（Ｂ局）は、例えば、信号の消失が発生した場合、ブランチ局２（Ｃ局）からのＡｄｄ信号ブロックが消失するので、トランク局１−１（Ａ局）からのトランク信号ブロックだけを受信する。
【００４６】
この場合（図６の場合）において、障害検出部７１５は、受信した信号（群）から、Ａｄｄ信号ブロックが消失していることを検知して、信号の消失を監視部７２に通知する。
障害検出部７１５は、例えば、Ａｄｄ信号ブロックが消失している場合、監視部７２に対して、警報を通知する。障害検出部７１５は、例えば、警報として、ＬＯＷ（Ｌｏｓｓ  ｏｆ  Ｗａｖｅｌｅｎｇｔｈ）を通知する。
【００４７】
ここで、トランク信号ブロックが消失した場合に通知される警報をＬＯＷ（１）とし、Ａｄｄ信号ブロックが消失した場合に通知される警報をＬＯＷ（２）とする。この場合、図６に示す例では、Ａｄｄ信号ブロックが消失しているので、トランク局１−２（Ｂ局）の障害検出部７１５は、警報としてＬＯＷ（２）だけを監視部７２に通知する。なお、ブランチ局２（Ｃ局）が１つの場合は、ＬＯＷの種別はＬＯＷ（１）とＬＯＷ（２）との２つであるが、ブランチ局２の数が増えればＬＯＷの種別は増加する。
【００４８】
また、図６に示す例では、トランク信号ブロックが消失した場合の警報をＬＯＷ（１）とし、Ａｄｄ信号ブロックが消失した場合の警報をＬＯＷ（２）としたが、信号ブロックとＬＯＷの対応はこれに限らず、陸揚局（すなわち、トランク局１及びブランチ局２）ごとに定義される。
【００４９】
また、図６に示す例では、トランク信号とＡｄｄ信号とがブロック単位である場合の例を示しているが、トランク信号とＡｄｄ信号とが波長単位である場合には、当該波長ごとに、ＬＯＷが定義される。
【００５０】
なお、監視部７２は、障害検出部７１５が通知する警報の代わりに、光送受信部７０が通知するＬＯＳ（Ｌｏｓｓ  ｏｆ  Ｓｉｇｎａｌ）によって、伝送路３に障害が生じたことを検知してもよい。
【００５１】
本発明の第１の実施形態において、伝送装置７の監視部７２は、障害検出部７１５から警報ＬＯＷを通知されたことに応じて、対向する伝送装置７に対して、受信信号の受信品質に関する情報を通知する。受信品質に関する情報は、例えば、対向する伝送装置７に送信する信号のヘッダ部分に格納される。
【００５２】
なお、本発明の第１の実施形態において、伝送装置７の監視部７２は、障害検出部７１５から警報ＬＯＷを通知されたことに応じて、対向する伝送装置７に対して、受信信号の受信品質の通知とともに、自動プリエンファシス制御の実行を要求してもよい。すなわち、本発明の第１の実施形態では、受信側の伝送装置７が、伝送路３の障害の発生を検知したことに応じて、送信側の伝送装置７に対して自動プリエンファシス制御の実行を要求してもよい。当該障害検出部７１５は、トランク局１−２（Ｂ局）からトランク局１−１（Ａ局）方向の伝送路３における障害の発生を検知できるので、当該送信側に対して送信する信号の補償（自動プリエンファシス制御）を要求してもよい。
【００５３】
なお、本発明の第１の実施形態において、伝送装置７の監視部７２が、自装置が信号を送信する方向の伝送路３における障害の発生を検知できるのであれば、当該障害の発生に応じて、自装置における自動プリエンファシス制御を実行してもよい。
【００５４】
図７は、本発明の第１の実施形態における伝送システムの構成例において、自動プリエンファシス制御の説明に必要な構成を抜き出して示すものである。図７には、送信側がトランク局１−１（Ａ局）であり、受信側がトランク局１−２（Ｂ局）の場合の例が示されている。
図７に示す例では、トランク局１−１（Ａ局）が信号を送信し、その信号をトランク局１−２（Ｂ局）が受信する。信号を受信したトランク局１−２（Ｂ局）は、その信号を受信した際の受信品質に関する情報を、トランク局１−１（Ａ局）に通知する。トランク局１−１（Ａ局）は、トランク局１−２（Ｂ局）から通知された受信品質に基づいて、送信する信号の強度（パワー）を調整する。なお、トランク局１−２（Ｂ局）は、信号の受信品質を、通信路６（アウトバウンド）を介して、トランク局１−１（Ａ局）に通知する。また、トランク局１−２（Ｂ局）は、信号の受信品質を、伝送路３（インバウンド）を介して、トランク局１−１（Ａ局）に通知してもよい。
【００５５】
図７に示すように、ブランチ局２（Ｃ局）と分岐装置５（ＯＡＤＭ−ＢＵ）との間の伝送路３に障害が生じた場合、ブランチ局２（Ｃ局）から送信されたＡｄｄ信号ブロックが消失する。そのため、例えば、トランク局１−１（Ａ局）がトランク信号ブロックを送信した場合、当該トランク信号ブロックだけが伝送路３を伝播することになる。上述したように、信号のトータルパワーを一定にするための光中継器４により、トランク信号ブロックが増幅されてしまうと、光ファイバの非線形効果に起因した信号の波形の劣化等を要因として光スペクトルに変化が生じ、当該信号の伝送品質が劣化してしまう。
【００５６】
そこで、本発明の第１の実施形態では、自動プリエンファシス制御を実行することにより、予めトランク信号ブロックの強度（パワー）を低下させておき、当該トランク信号ブロックの波長成分の強度（パワー）の増幅を抑制する。
【００５７】
本発明の第１の実施形態において、トランク局（Ａ局）の伝送装置７の監視部７２は、複数の光送受信部７０のそれぞれを監視する。監視部７２は、複数の光送受信部７０のそれぞれに対して、当該複数の光送受信部７０のそれぞれが送信した信号について、対向するトランク局（Ｂ局）における受信品質の情報を要求する。受信品質は、例えば、トランク局（Ｂ局）が受信した信号のビット誤り訂正数の値や、信号の強度（パワー）の値である。
【００５８】
なお、監視部７２は、例えば、障害検出部７１５から伝送路３における障害の発生の通知を受けた場合に、複数の光送受信部７０のそれぞれに対して、当該受信品質の情報を要求してもよい。
【００５９】
監視部７２は、複数の光送受信部７０のそれぞれから、受信品質の値の通知を受ける。監視部７２は、当該通知された受信品質の値と予め定められた閾値と比較する。監視部７２は、比較の結果、受信品質の値が閾値よりも高い場合には、その受信品質の値を通知してきた光送受信部７０に対して、送信する信号の強度（パワー）を所定の量だけ低下させることを要求する。
【００６０】
具体的には、監視部７２は、複数の光送受信部７０のそれぞれから、対向するトランク局（Ｂ局）における信号の受信品質の値の通知を受ける。監視部７２は、通知された受信品質の値と、予め定められた閾値とを比較する。監視部７２は、通知された受信品質の値が予め定められた閾値よりも高いことに応じて、閾値よりも高い信号を送信した光送受信部７０に対して、所定の量だけ信号の強度（パワー）を低下させることを要求する。所定の量は、予め定めておいてもよいし、受信品質の値と閾値との乖離度に基づいて監視部７２が決定してもよい。
【００６１】
監視部７２は、受信側から通知される受信品質の値が閾値よりも高い場合は、光送受信部７０に対して、当該受信品質の値が閾値よりも低くなるまで繰り返し信号の強度（パワー）の低下を要求する。なお、監視部７２は、複数の光送受信部７０ごとに、受信品質の値が閾値よりも低くなるまで、信号の強度（パワー）を低下させることを要求する。
【００６２】
光送受信部７０は、監視部７２から受信品質の送信要求があった場合、対向するトランク局１−２（Ｂ局）の光送受信部７０から、受信品質の通知を受ける。対向するトランク局１−２（Ｂ局）の光送受信部７０は、例えば、トランク局１−１（Ａ局）に対して送信する送信フレームのオーバーヘッドの一領域に、当該受信品質に関する情報を含ませる。
【００６３】
光送受信部７０は、対向するトランク局１−２（Ｂ局）の光送受信部７０から通知された受信品質を、監視部７２に通知する。
【００６４】
光送受信部７０は、監視部７２から、送信する信号の強度（パワー）の低下を要求された場合、当該要求に応じて、送信する信号の強度（パワー）を低下させる。光送受信部７０は、例えば、監視部７２から要求された量に基づいて、送信する信号の強度（パワー）を低下させる。なお、光送受信部７０は、例えば、監視部７２から要求された量ではなく、予め定められた量に基づいて、送信する信号の強度（パワー）を低下させてもよい。
【００６５】
図８は、本発明の第１の実施形態における、監視部７２の動作例を示すフローチャートである。
【００６６】
監視部７２は、例えば、障害検出部７１５から伝送路３における障害の発生の通知を受けたことに応じて（Ｓ１０１）、自動プリエンファシス制御を開始する。
【００６７】
監視部７２は、複数の光送受信部７０のそれぞれに、自装置が送信した信号について、受信側の装置（すなわち、対向するトランク局１−２（Ｂ局））における受信品質の値の通知を要求する（Ｓ１０２）。当該要求に応じて、複数の光送受信部７０のそれぞれは、対向するトランク局１−２（Ｂ局）の光送受信部７０から当該受信品質の値を取得し、取得した受信品質の値を監視部７２に通知する。
【００６８】
監視部７２は、複数の光送受信部７０のそれぞれから、対向するトランク局１−２（Ｂ局）の光送受信部７０における当該受信品質の値の通知を受け、予め定められた閾値と比較する（Ｓ１０３）。
【００６９】
比較の結果、通知された全ての受信品質の値が予め定められた閾値よりも低い場合、監視部７２は、自動プリエンファシス制御を終了する。
【００７０】
比較の結果、受信品質の値の少なくとも１つが予め定められた閾値よりも高い場合、監視部７２は、対応する光送受信部７０に対して、送信する信号のパワーを所定の量だけ低下させることを要求する（Ｓ１０４）。その後、監視部７２は、ステップ１０２（Ｓ１０２）に戻り、受信品質の値の通知を要求する。なお、この場合、監視部７２は、ステップ１０３（Ｓ１０３）において、当該対応する光送受信部７０に対してのみ、受信品質の値の通知を再度要求してもよい。
【００７１】
上記のとおり、本発明の第１の実施形態では、信号の受信側が、受信した信号の品質（受信品質）をその信号の送信側に通知し、信号の送信側が、通知された受信品質に基づいて送信する信号の強度（パワー）を調整する。そのため、本発明の第１の実施形態では、送信側は、受信側の受信品質に基づいて、送信する信号の強度（パワー）を調整することができるようになる。
【００７２】
しかしながら、上述したように、自動プリエンファシスによって一の伝送装置からの送信信号の強度（パワー）を予め低くして送信すると、他の伝送装置からの送信信号の強度（パワー）が高くなってしまうという懸念がある。
【００７３】
そこで、本発明の第１の実施形態の伝送装置は、ダミー光によって、一の伝送装置（送信局）が送信する信号の強度（パワー）の変化を補償し、当該一の伝送装置が送信する信号の強度（パワー）の変化を抑える（信号のパワーを一定に保つ）。これによって、自動プリエンファシス制御によって当該一の伝送装置から送信される信号が変化した場合であっても、他の伝送装置から送信される信号に対する影響を低減する。
【００７４】
図４に示すように、本発明の第１の実施形態において、光合分波部７１は、さらに、合成部７１０、生成部７１１、測定部７１２及びフィードバック部７１３を含む。光合分波部７１は、これらの手段により、ダミー光による送信信号の強度（パワー）の補償を実行する。
【００７５】
合成部７１０は、複数の光送受信部７０から受信する異なる波長の信号を合波して、波長多重信号とする。
【００７６】
生成部７１１は、信号の送信強度（パワー）を制御するために用いるダミー光を生成する。生成されたダミー光は、合成部７１０により、複数の光送受信部７０からの信号と合波される。本発明の第１の実施形態において、生成部７１１は、伝送装置７から送信する信号（すなわち、複数の光送受信部７０からの信号の合波光）の強度（パワー）が一定になるように、ダミー光を生成する。
【００７７】
本発明の第１の実施形態において、複数の伝送装置７には、光信号のうち、使用できる波長（波長帯）がそれぞれ割り当てられている。複数の伝送装置７のそれぞれは、割り当てられた波長（波長帯）の信号を送信する。そして、伝送装置７に含まれる複数の光送受信部７０のそれぞれは、当該伝送装置７に割り当てられた波長（波長帯）の一部を用いて、信号を送信する。なお、当該光送受信部７０のそれぞれには、予め使用する波長（波長帯）が定められていてもよい。
【００７８】
本発明の第１の実施形態において、生成部７１１は、伝送装置７に割り当てられた波長（波長帯）のうち、当該伝送装置７に含まれる光送受信部７０が使用しない波長（波長帯）の少なくとも一部を用いて、ダミー光を生成する。当該光送受信部７０が使用する波長（波長帯）は、上記のとおり予め定められていてもよく、その場合、使用しない波長（波長帯）も予め定まっているので、生成部７１１は、当該使用しない波長（波長帯）の少なくとも一部を用いて、ダミー光を生成する。
【００７９】
光送受信部７０が使用する波長（波長帯）は、例えば監視部７２が把握しており、その場合には、監視部７２が、ダミー光として用いる波長（波長帯）を、生成部７１１に通知する。また、生成部７１１が、ダミー光として用いる波長（波長帯）を予め把握していてもよい。
【００８０】
本発明の第１の実施形態において、生成部７１１は、例えば、監視部７２の要求に応じてダミー光の生成を開始してもよい。また、生成部７１１は、例えば、監視部７２からダミー光による補償の停止を要求されたことに応じて、ダミー光の生成を停止してもよい。
【００８１】
監視部７２は、例えば、対向する伝送装置７の要求に応じて、生成部７１１に対して、ダミー光の生成の開始を要求する。なお、監視部７２は、例えば、伝送路３における障害が回復したことに応じて、生成部７１１に対して、ダミー光による補償の停止を要求してもよい。
【００８２】
測定部７１２は、合成部７１０から送信された信号（すなわち、伝送装置７から送信された信号）の強度（パワー）を測定する。測定部７１２は、測定した信号の強度（パワー）をフィードバック部７１３に通知する。
【００８３】
フィードバック部７１３は、測定部７１２から通知された信号の強度（パワー）に基づいて、合成部７１０から送信される信号の強度（パワー）が一定になるように、ダミー光の強度（パワー）の変更を生成部７１１に要求する。フィードバック部７１３は、例えば、ダミー光の強度（パワー）の変更するための制御信号を生成し、生成部７１１に送信する。生成部７１１は、当該制御信号に基づいて、ダミー光の強度（パワー）を変更する。なお、フィードバック部７１０は、例えば、監視部７２から障害の発生の通知を受けたことに応じて動作を開始し、当該監視部７２から障害の回復の通知を受けたことに応じて動作を停止してもよい。
【００８４】
図９は、伝送装置７の光合分波部７１の動作例を示すフローチャートである。
【００８５】
光合分波部７１の障害検出部７１５は、外部から受信した信号の一部が消失していることを検知する（Ｓ２０１）。その後、障害検出部７１５は、信号に消失が発生していることを監視部７２に通知する。
【００８６】
生成部７１１及び／又はフィードバック部７１３は、監視部７２から、伝送路３における障害の発生の通知を受け、ダミー光による信号の補償を開始する（Ｓ２０２）。
【００８７】
測定部７１２は、合成部７１０が外部に送信する信号の強度（パワー）を測定し（Ｓ２０３）、測定した信号の強度（パワー）を、フィードバック部７１３に通知する。
【００８８】
フィードバック部７１３は、監視部７２からの通知を受け、測定部７１２から通知された信号の強度（パワー）に基づいて、合成部７１０から送信される信号の強度（パワー）が一定になるように、ダミー光の強度（パワー）の変更を要求する。生成部７１１は、フィードバック部７１３からの要求に応じて、ダミー光の強度（パワー）を変更する（Ｓ２０４）。
【００８９】
生成部７１１は、監視部７２からダミー光による補償の停止の要求を受け（Ｓ２０５のＹＥＳ）、当該補償を停止する（Ｓ２０６）。一方、生成部７１１は、当該要求を受けない場合（Ｓ２０５のＮＯ）は、ステップ２０３（Ｓ２０３）に戻り、ダミー光による信号の補償を継続する。
【００９０】
上記のとおり、本発明の第１の実施形態の伝送装置７は、複数の光送受信部７０が送信する信号の強度（パワー）の変化に対応して、ダミー光を調節することができ、当該伝送装置７から送信する信号の強度（パワー）を一定に保つことができる。
【００９１】
本発明の第１の実施形態の伝送装置は、ダミー光によって、一の伝送装置（送信局）が送信する信号の強度（パワー）の変化を補償し、当該一の伝送装置が送信する信号の強度（パワー）の変化を抑える（信号のパワーを一定に保つ）。これによって、自動プリエンファシス制御によって当該一の伝送装置から送信される信号が変化した場合であっても、他の伝送装置から送信される信号に対する影響を低減することができる。
【００９２】
＜第２の実施形態＞
本発明の第２の実施形態について、図面を参照して説明する。
【００９３】
本発明の第２の実施形態において、複数の伝送装置７は、自動プリエンファシス制御及びダミー光による信号の補償を実行する時間が互いに重ならないように、当該補償を実行する時間を調整する。具体的には、伝送装置７が、他の伝送装置７が自動プリエンファシス制御及びダミー光による信号の補償を実施している間、自装置における自動プリエンファシス制御及びダミー光による信号の補償の実行の開始を遅延させる。
【００９４】
伝送路３において障害が発生した場合、複数の伝送装置７のそれぞれは、当該障害により消失する所定の波長部分について、自動プリエンファシス制御及びダミー光により補償することにより、当該伝送装置７から送信する信号のトータルパワー（強度）を一定にする。
【００９５】
しかしながら、トランク局１に含まれる全ての伝送装置７が、自動プリエンファシス制御及びダミー光による信号の補償を実行しているとは限らない。例えば、一部の伝送装置７は、自動プリエンファシス制御だけを実行しており、伝送路３に障害が生じたことに応じて送信信号の強度を変化させるだけで、ダミー光によって送信信号の強度を一定にすることは行っていないこともある。
【００９６】
そのような場合、一の伝送装置７がダミー光により送信信号の強度を一定にしたとしても、他の伝送装置７からの送信信号の強度の変化の影響を受けて、当該一定にして出力した送信信号の強度が変化してしまう。
【００９７】
そうすると、対向する伝送装置７は、伝送装置７（ダミー光で送信信号の強度を一定にする装置）からの送信信号の強度の変化が、（１）一部の伝送装置７の送信信号の強度の変化に影響されたものか、（２）伝送路３で信号が消失したことによるものか、を判断できない。
【００９８】
そこで、本発明の第２の実施形態では、他の装置が自動プリエンファシス制御を実施している間、ダミー光による信号の補償の実行の開始を遅延させる。そして、他の伝送装置７が送信信号の強度を変化させていない場合に、自動プリエンファシス制御及びダミー光による信号の補償を実行する。このように動作させれば、対向する伝送装置７は、伝送装置７（ダミー光で送信信号の強度を一定にする装置）からの送信信号の強度が変化していた場合に、その変化は、（２）伝送路３で信号が消失したことによるものであると判断することができる。したがって、当該対向する伝送装置７は、伝送装置７に対して、自動プリエンファシス制御の実行（あるいは、自動プリエンファシス制御の継続）を要求することができる。
【００９９】
なお、本発明の第２の実施形態において、本発明の第１の実施形態と同様の構成については、説明を省略する。
【０１００】
本発明の第２の実施形態における伝送システムの構成例は、本発明の第１の実施形態と同様である。
【０１０１】
本発明の第２の実施形態において、伝送装置７に備わる光合分波部７１は、監視部７２から伝送路３における障害の発生の通知を受けた場合に、ダミー光による信号の補償を予め定められた時間だけ遅延させる。
【０１０２】
伝送装置７−１は、例えば、伝送路３における障害の発生を検知した場合、予め定められた第１の時間だけ、ダミー光による信号の補償を遅延させる。また、第１の時間は、例えば、他の伝送装置７が自動プリエンファシス制御を完了するまでに必要な時間を考慮して決定する。第１の時間は、伝送装置７が他の装置の自動プリエンファシス制御の状況を把握できる場合、当該他の伝送装置７が自動プリエンファシス制御を完了した後に、ダミー光による信号の補償を遅延させるように決定してもよい。
【０１０３】
また、伝送装置７−２は、伝送路３における障害の発生を検知した場合、予め定められた第２の時間だけ、ダミー光による信号の補償を遅延させる。第２の時間は、例えば、伝送装置７−１が自動プリエンファシス制御を完了するまでに必要な時間を考慮して決定される。第２の時間は、例えば、伝送装置７−１が自動プリエンファシス制御を完了した後に、伝送装置７−２がダミー光による信号の補償を開始するように決定されてもよい。
【０１０４】
このように、本発明の第２の実施形態において、複数の伝送装置７のそれぞれは、自動プリエンファシス制御及びダミー光による信号の補償を実行する時間が互いに重ならないように、当該実行の開始を予め定められた時間だけ遅延させる。
【０１０５】
図１０は、ダミー光による補償を実行する時間の調整を、監視装置９が制御する場合の伝送システムの例を示す図であり、本発明の第２の実施形態における伝送システムの他の構成例である。図１０に示すように、本発明の第２の実施形態における伝送システムの他の構成例において、当該伝送システムは、監視装置９を含む。
【０１０６】
監視装置９は、例えば、複数の伝送装置７の光合分波部７１のそれぞれが送信する信号を監視し、伝送装置７が自動プリエンファシス制御を実行しているか否かを検知する。監視装置９は、例えば、伝送装置７が送信する信号のスペクトラムを監視するスペクトルアナライザを含む。この場合、監視装置９は、当該光合分波部７１が送信する信号のスペクトラムから、複数の伝送装置の少なくとも１つが自動プリエンファシス制御を実行しているか否かを検知する。
【０１０７】
また、監視装置９は、複数の伝送装置７のそれぞれに対して、自動プリエンファシス制御及びダミー光による信号の補償の開始を許可する通知を送信する。監視装置９は、例えば、伝送装置７−１の光合分波部７１に自動プリエンファシス制御及びダミー光による信号の補償を許可した場合、当該光合分波部７１による補償が完了するまで、他の伝送装置７に対して自動プリエンファシス制御及びダミー光による信号の補償の開始を許可しない。
【０１０８】
監視装置９は、例えば、伝送装置７−１における自動プリエンファシス制御及びダミー光による信号の補償が完了したことを検知し、他の伝送装置７−２に対して、自動プリエンファシス制御及びダミー光による信号の補償の開始を許可する。
【０１０９】
このように、本発明の第２の実施形態において、複数の伝送装置７のそれぞれは、監視装置９からの許可がなければ、自動プリエンファシス制御及びダミー光による信号の補償を開始しない。そして、監視装置９は、複数の伝送装置７のいずれかが自動プリエンファシス制御を行っている間は、他の伝送装置７に対して自動プリエンファシス制御及びダミー光による信号の補償を許可しない。
【０１１０】
上記のとおり、本発明の第２の実施形態では、他の装置が自動プリエンファシス制御を実施している間、ダミー光による信号の補償の実行の開始を遅延させる。そして、他の伝送装置７が送信信号の強度を変化させていない場合に、自動プリエンファシス制御及びダミー光による信号の補償を実行する。このように動作させることにより、対向する伝送装置７は、伝送装置７（ダミー光で送信信号の強度を一定にする装置）からの送信信号の強度が変化していた場合に、その変化が伝送路３で信号が消失したことによるものであると判断できる。したがって、当該対向する伝送装置７は、伝送装置７に対して、自動プリエンファシス制御の実行（あるいは、自動プリエンファシス制御の継続）を要求することが可能となる。
【０１１１】
＜第３の実施形態＞
本発明の第３の実施形態について、図面を参照して説明する。
【０１１２】
本発明の第３の実施形態は、上記の本発明の第１及び第２の実施形態で説明した方法（手段）を組み合わせて、伝送路３に障害が発生した場合に、残存する信号の強度（パワー）を補正し、通信品質を担保する機能を提供するものである。したがって、本発明の第３の実施形態では、複数の伝送装置（送信局）のそれぞれが、ダミー光による信号の補償の実効性をより高めることができる。なお、本発明の第３の実施形態において、伝送路３に障害が発生した場合に、残存する信号の強度（パワー）を補正し通信品質を担保する機能を、ＯＡＤＭ  Ｆａｕｌｔ  Ｒｅｃｏｖｅｒｙと記載する。
【０１１３】
本発明の第３の実施形態において、本発明の第１及び第２の実施形態と同様の構成については、説明を省略する。
【０１１４】
図１１は、ＯＡＤＭ  Ｆａｕｌｔ  Ｒｅｃｏｖｅｒｙを実行する場合における、本発明の第３の実施形態の伝送装置の動作例を示すフローチャートである。
【０１１５】
図１１に示すように、伝送装置７は、伝送路３における障害の発生を検知する（Ｓ３０１）。
【０１１６】
伝送装置７は、障害の発生を検知したことに応じて、所定の時間、障害に対応するための処理の実行を遅延させる（Ｓ３０２）。当該所定の時間は、予め定められた時間であってもよいし、他の伝送装置７による当該処理が完了するまでの時間であってもよい。
【０１１７】
伝送装置７は、所定の時間が経過したことに応じて、ダミー光による信号の補償を、対向する伝送装置７に要求する（Ｓ３０３）。また、伝送装置７は、所定の時間が経過したことに応じて、対向する伝送装置７に対して、自動プリエンファシス制御（受信品質に基づく、送信信号のパワーの制御）の実行を要求する（Ｓ３０４）。
【０１１８】
伝送装置７は、例えば受信した信号の受信品質が回復した場合に、当該ダミー光による信号の補償の停止（終了）を、対向する伝送装置７に対して要求する（Ｓ３０５）。また、伝送装置７は、例えば受信した信号の受信品質が回復した場合に、自動プリエンファシス制御の実行の停止（終了）を、対向する伝送装置７に対して要求する（Ｓ３０６）。対向する伝送装置７は、当該要求を受けた場合に、その時点までに実行していたダミー信号による信号の補償と、自動プリエンファシス制御の状態を維持する。
【０１１９】
なお、本発明の第３の実施形態において、対向する伝送装置７は、例えばケーブルの修理が完了するなど伝送路の障害が回復した場合に、ダミー光の出力設定及び送信信号の出力設定を、障害の発生を検知する前の状態に戻す処理を実行してもよい。この処理は、レストレーションと呼ばれ、（１）例えば図１０に示す監視装置９を操作して、伝送装置７の光合分波部７１等の設定を障害の発生を検知する前の状態に戻す方法と、（２）ＬＯＷの回復（警報復旧）によって自動的に戻す方法とがある。
【０１２０】
光送受信部７０のそれぞれは、トランスポンダ（Ｔｒａｎｓｐｏｎｄｅｒ：ＴＰＮＤ）として機能し、例えばクライアント装置（図示していない）から受信した信号を長距離光伝送に適した信号に変換して送り出す機能を担う。また、光送受信部７０のそれぞれは、ＴＰＮＤとして、受信した信号からクライアント装置宛の信号を分岐して、当該クライアント装置側へ引き渡す機能を担う。
【０１２１】
図１１のステップ３０１（Ｓ３０１）において、伝送装置７の光合分波部７１は、伝送路３における障害の発生を検知する。上述したように、伝送装置７の障害検出部７１５は、当該障害の発生を検知したことに応じて、監視部７２に対して警報ＬＯＷ（Ｌｏｓｓ  ｏｆ  Ｗａｖｅｌｅｎｇｔｈ）を通知する。
【０１２２】
監視部７２は、通知されたＬＯＷの種類に応じて、自動プリエンファシス制御の対象となる（対向する伝送装置７における）光送受信部７０を特定することができる。トランク局１−１（Ａ局）の監視部７２は、障害検出部７１５からＣ局のＡｄｄ信号ブロックの消失を示すＬＯＷ（２）の通知を受けると、対向トランク局１−２（Ｂ局）から自装置（トランク局１−１（Ａ局））に向けて信号を出力する光送受信部７０を、自動プリエンファシス制御の対象と判定する。
【０１２３】
すなわち、トランク局１−１（Ａ局）の監視部７２がＬＯＷ（２）の通知を受けた場合、ブランチ局２（Ｃ局）から送信された信号の消失が原因となり、トランク局１−２（Ｂ局）からトランク局１−１（Ａ局）に向けて送信された信号が余分に増幅される可能性がある。したがって、トランク局１−１（Ａ局）は、当該トランク局１−２（Ｂ局）において、自装置（トランク局１−１（Ａ局））宛に信号を送信する光送受信部７０の送信信号のパワーを制御する必要があると判定できる。
【０１２４】
伝送装置７は、自動プリエンファシス制御の対象となる（対向する伝送装置７における）光送受信部７０を特定した場合、例えば通信路６（アウトバウンド通信路）を用いて、当該特定した光送受信部７０に対して、自動プリエンファシス制御の実行を要求する。
【０１２５】
図１２は、トランク局１−１（Ａ局）の監視部７２が受信するＬＯＷの組み合わせと、自動プリエンファシス制御が必要な陸揚局（すなわち、トランク局１及びブランチ局２）との対応関係を示す図である。例えば、トランク局１−１（Ａ局）の監視部７２が、ＬＯＷ（２）を受信すると、トランク局１−２（Ｂ局）においてブランチ局２（Ｃ局）宛に信号を送信する光送受信部７０に自動プリエンファシス制御が必要であると判定できる。
【０１２６】
図１３は、図１２と同様であり、トランク局１−２（Ｂ局）の監視部７２が受信するＬＯＷの組み合わせと、自動プリエンファシス制御が必要な陸揚局（すなわち、トランク局１及びブランチ局２）との対応関係を示す図である。
【０１２７】
図１４は、図１２及び１３と同様であり、ブランチ局２（Ｃ局）の監視部７２が受信するＬＯＷの組み合わせと、自動プリエンファシス制御が必要な陸揚局（すなわち、トランク局１及びブランチ局２）との対応関係を示す図である。
【０１２８】
図１５は、ＯＡＤＭ  Ｆａｕｌｔ  Ｒｅｃｏｖｅｒｙを実行する場合における、本発明の第３の実施形態の伝送装置の他の動作例を示すフローチャートである。具体的には、図１５は、対向する伝送装置７から、ダミー光による信号の補償及び自動プリエンファシス制御の要求を受けた場合の、伝送装置７の動作例を示す。
【０１２９】
図１５に示すように、伝送装置７は、対向する伝送装置７から、ダミー光による信号の補償の要求を受ける（Ｓ４０１）。また、伝送装置７は、対向する伝送装置７から、自動プリエンファシス制御（受信品質に基づく、送信信号のパワーの制御）の要求を受ける（Ｓ４０２）。なお、伝送装置７は、自動プリエンファシス制御の要求だけを受けてもよい。この場合、伝送装置７は、当該自動プリエンファシス制御の要求を受けたことに応じて、ダミー光による信号の補償を実行する。
【０１３０】
伝送装置７は、ダミー光による信号の補償を実行する（Ｓ４０３）。具体的には、伝送装置７の監視部７２は、例えば、光合分波部７１に対して、出力一定制御の開始を指示するコマンドを送付する。光合分波部７１は、当該コマンドを受信したことに応じて、ダミー光による信号の補償を実行する。伝送装置７は、例えば、送信される信号の強度（パワー）が一定になるようにダミー光の強度（パワー）を変更する。
【０１３１】
伝送装置７は、複数の光送受信部７０に対して、対向する伝送装置７（受信側）における信号の受信品質の通知を要求する（Ｓ４０４）。具体的には、伝送装置７の監視部７２は、複数の光送受信部７０に対して、受信品質の通知を要求する対向エラーカウント読み取りコマンドを送信する。
【０１３２】
伝送装置７は、対向する伝送装置７から、信号の受信品質の通知を受ける（Ｓ４０５）。具体的には、伝送装置７は、対向する伝送装置７から、受信品質の値として対向エラーカウントの通知を受ける。
【０１３３】
伝送装置７は、通知された受信品質の値と、予め定められた閾値とを比較する（Ｓ４０６）。
【０１３４】
比較の結果、通知を受けた受信品質が予め定められた閾値よりも高い（つまり、受信品質の値である対向エラーカウント数が閾値よりも大きい）場合、伝送装置７の監視部７２は、その受信品質を通知してきた光送受信部７０を自動プリエンファシス制御の対象と決定し、当該決定した光送受信部７０に対して出力設定値読取コマンドを送付する（Ｓ４０７）。出力設定値読取コマンドは、送信する信号の強度（パワー）の設定値を読み取るための命令である。
【０１３５】
出力設定読取コマンドを受信した光送受信部７０は、監視部７２に対して、信号の送信強度（パワー）の設定値である出力設定値を通知する（Ｓ４０８）。
【０１３６】
監視部７２は、通知された出力設定値から予め定められた量だけ低下させた、新たな出力設定値に変更するための出力変更命令コマンドを、光送受信部７０のそれぞれに通知する（Ｓ４０９）。
【０１３７】
監視部７２は、所定の時間（例えば、１秒間）経過後（Ｓ４１０）に、ステップ４０６（Ｓ４０６）に戻る。
【０１３８】
ステップ４０６（Ｓ４０６）における比較の結果、通知された全ての受信品質が予め定められた閾値よりも低い（つまり、受信品質の値である対向エラーカウント数が閾値よりも小さい）場合、伝送装置７は、自動プリエンファシス制御を終了する（Ｓ４１１）。
【０１３９】
伝送装置７は、自動プリエンファシス制御を終了したことに応じて、ダミー光による信号の強度（パワー）の補償を終了する（Ｓ４１２）。具体的には、伝送装置７の監視部７２は、自動プリエンファシス制御を終了したことに応じて、光合分波部７１に対して、出力一定制御を停止するコマンドを送付する。光合分波部７１は、ダミー光による信号の強度（パワー）の補償を終了し、終了したことを監視部７２に通知する。
【０１４０】
図１６は、図１５に示すＯＡＤＭ  Ｆａｕｌｔ  Ｒｅｃｏｖｅｒｙを実行する場合における、本発明の第３の実施形態の伝送装置の他の動作例を、シーケンス図で示したものである。なお、図１６に示す各ステップにおける処理は、図１５に示す各ステップにおける処理と同様である。
【０１４１】
上記のとおり、本発明の第３の実施形態は、本発明の第１及び第２の実施形態で説明した方法（手段）を組み合わせて、伝送路３に障害が発生した場合に、残存する信号の強度（パワー）を補正し、通信品質を担保する機能を提供する。したがって、本発明の第３の実施形態では、複数の伝送装置（送信局）のそれぞれが、ダミー光による信号の補償の実効性をより高めることができる。
【０１４２】
＜第４の実施形態＞
本発明の第４の実施形態について、図面を参照して説明する。本発明の第４の実施形態において、伝送装置７のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態の機能を実現するソフトウェア（プログラム）を実行する。
【０１４３】
本発明の第４の実施形態において、伝送装置７は、例えばＣＤ−Ｒ（Ｃｏｍｐａｃｔ  Ｄｉｓｃ  Ｒｅｃｏｒｄａｂｌｅ）等の各種記憶媒体又はネットワークを介して、上述した各実施形態の機能を実現するソフトウェア（プログラム）を取得する。伝送装置７が取得するプログラム、又は、該プログラムを記憶した記憶媒体は、本発明を構成することになる。なお、該ソフトウェア（プログラム）は、例えば、伝送装置７に含まれる所定の記憶部に、予め記憶されていてもよい。
【０１４４】
伝送装置７のコンピュータ、ＣＰＵ又はＭＰＵ等は、取得したソフトウェア（プログラム）のプログラムコードを読み出して実行する。したがって、当該伝送装置７は、上述した各実施形態における伝送装置７の処理と同一の処理を実行する。
【０１４５】
本発明の第４の実施形態によれば、伝送装置７のコンピュータ、ＣＰＵ又はＭＰＵ等に実現するためのプログラムといった用途に適用できる。
【０１４６】
＜第５の実施形態＞
本発明の第５の実施形態について、図面を参照して説明する。
【０１４７】
図１７に示すように、本発明の第５の実施形態における伝送装置１００は、上記各実施形態において光送受信部７０に該当する送信部７０’を含む。また、当該伝送装置１００は、ダミー光を生成する生成部７１１と、信号を合成する合成部７１０とを含む。
【０１４８】
送信部７０’は、第１の信号を送信する。生成部７１１は、前記送信部７０’が送信する第１の信号を補償するためのダミー信号を生成する。合成部７１０は、前記第１の信号と、前記ダミー信号とを合成する。
【０１４９】
本発明の第５の実施形態において、前記生成部７１１は、前記第１の信号と前記ダミー信号とを合成した第２の信号の強度が一定になるように、生成する前記ダミー信号の強度を調整する。
【０１５０】
上記のとおり、本発明の第５の実施形態の伝送装置は、ダミー信号で補償された信号（すなわち、第２の信号）の強度が一定になるように、当該信号（第２の信号）の強度（パワー）を一定に保つ。したがって、本発明の第５の実施形態の伝送装置は、当該補償された信号（第２の信号）が、他の伝送装置からの信号に対して影響を与えることを低減することができる。
【０１５１】
上記の実施形態では、光信号を例にして説明したが、本発明の適用対象は光信号に限られるものではなく、例えば電気信号にも適用することができる。
【０１５２】
上記の実施形態の一部又は全部は、以下の付記のようにも記載されうるが、以下には限られない。
【０１５３】
［付記１］
第１の信号を送信する送信手段と、
前記送信手段が送信する第１の信号を補償するためのダミー信号を生成する生成手段と、
前記第１の信号と、前記ダミー信号とを合成する合成手段と、を有し、
前記生成手段は、前記第１の信号と前記ダミー信号とを合成した第２の信号の強度が一定になるように、生成する前記ダミー信号の強度を調整すること
を特徴とする伝送装置。
【０１５４】
［付記２］
前記第２の信号の強度を測定する測定手段を有し、
前記生成手段は、前記測定手段が測定した前記第２の信号の強度が一定になるように、生成する前記ダミー信号の強度を決定すること
を特徴とする付記１に記載の伝送装置。
【０１５５】
［付記３］
前記生成手段は、前記第２の信号を伝送するための伝送路に障害が生じた場合に、前記ダミー信号の生成を開始すること
を特徴とする付記１又は２に記載の伝送装置。
【０１５６】
［付記４］
前記生成手段は、前記伝送路に障害が生じてから所定の時間経過後に、前記ダミー信号の生成を開始すること
を特徴とする付記３に記載の伝送装置。
【０１５７】
［付記５］
前記生成手段に対してダミー信号の生成を要求する監視手段を有し、
前記生成手段は、前記監視手段からの要求に応じて、前記ダミー信号の生成を開始することを特徴とする付記１又は２に記載の伝送装置。
【０１５８】
［付記６］
前記監視手段は、前記伝送路に障害が生じたことに応じて、前記生成手段に対して前記ダミー信号の生成を開始することを要求すること
を特徴とする付記５に記載の伝送装置。
【０１５９】
［付記７］
前記送信手段は、前記第１の信号を受信する対向装置における前記第１の信号の受信品質に基づいて、前記第１の信号の強度を調整すること
を特徴とする付記１乃至６のいずれかに記載の伝送装置。
【０１６０】
［付記８］
前記監視手段は、前記第１の信号の受信品質が所定の閾値よりも高い場合に、前記送信手段に対して前記第１の信号の強度の調整を要求すること
を特徴とする付記７に記載の伝送装置。
【０１６１】
［付記９］
前記送信手段を複数有し、
前記監視手段は、前記複数の送信手段から送信された第１の信号のうち、受信品質が所定の閾値よりも高い第１の信号を送信した送信手段に対して、前記第１の信号の強度の調整を要求すること
を特徴とする付記７又は８に記載の伝送装置。
【０１６２】
［付記１０］
前記監視手段は、前記複数の送信手段のそれぞれから送信された全ての第１の信号の受信品質が所定の閾値よりも低くなるまで、前記送信手段に対して前記第１の信号の強度の調整を要求すること
を特徴とする付記７乃至９のいずれかに記載の伝送装置。
【０１６３】
［付記１１］
受信する信号の強度に基づいて、前記伝送路に障害が生じたことを検出する障害検出手段を有し、
前記監視手段は、前記障害検出手段から前記伝送路に障害が生じたことを通知された場合に、前記送信手段に対して前記第１の信号の強度の調整を要求すること
を特徴とする付記７乃至１０のいずれかに記載の伝送装置。
【０１６４】
［付記１２］
第１の信号を送信する送信手段と、
前記送信手段が送信する第１の信号を補償するためのダミー信号を生成する生成手段と、
前記第１の信号と、前記ダミー信号とを合成する合成手段と、を有する複数の伝送装置を含み、
前記生成手段は、前記第１の信号と前記ダミー信号とを合成した第２の信号の強度が一定になるように、生成する前記ダミー信号の強度を調整すること
を特徴とする伝送システム。
【０１６５】
［付記１３］
前記複数の伝送装置のそれぞれは、前記第２の信号の強度を測定する測定手段を有し、
前記生成手段は、前記測定手段が測定した前記第２の信号の強度が一定になるように、生成する前記ダミー信号の強度を決定すること
を特徴とする付記１２に記載の伝送システム。
【０１６６】
［付記１４］
前記複数の伝送装置が送信する前記第２の信号を合成した信号を伝送するための伝送路を含み、
前記生成手段は、前記伝送路に障害が生じた場合に、前記ダミー信号の生成を開始すること
を特徴とする付記１２又は１３に記載の伝送システム。
【０１６７】
［付記１５］
前記生成手段は、前記伝送路に障害が生じてから所定の時間経過後に、前記ダミー信号の生成を開始すること
を特徴とする付記１４に記載の伝送システム。
【０１６８】
［付記１６］
前記複数の伝送装置のそれぞれは、前記生成手段に対してダミー信号の生成を要求する監視手段を有し、
前記生成手段は、前記監視手段からの要求に応じて、前記ダミー信号の生成を開始することを特徴とする付記１２又は１３に記載の伝送システム。
【０１６９】
［付記１７］
前記監視手段は、前記伝送路に障害が生じたことに応じて、前記生成手段に対して前記ダミー信号の生成を開始することを要求すること
を特徴とする付記１６に記載の伝送システム。
【０１７０】
［付記１８］
前記複数の伝送装置におけるダミー信号の生成を制御する制御装置を含み、
前記監視手段は、前記制御装置から要求があったことに応じて、前記ダミー信号の生成の開始を前記生成手段に対して要求すること
を特徴とする付記１６又は１７に記載の伝送システム。
【０１７１】
［付記１９］
前記制御装置は、前記複数の伝送装置のうち第１の伝送装置における前記ダミー信号の生成が終了したことに応じて、第２の伝送装置に対して、前記ダミー信号の生成の開始を要求すること
を特徴とする付記１６乃至１８のいずれかに記載の伝送システム。
【０１７２】
［付記２０］
前記第１の信号を受信する対向装置を含み、
前記送信手段は、前記対向装置における前記第１の信号の受信品質に基づいて、前記第１の信号の強度を調整すること
を特徴とする付記１２乃至１９のいずれかに記載の伝送システム。
【０１７３】
［付記２１］
前記監視手段は、前記第１の信号の受信品質が所定の閾値よりも高い場合に、前記送信手段に対して前記第１の信号の強度の調整を要求すること
を特徴とする付記２０に記載の伝送システム。
【０１７４】
［付記２２］
前記監視手段は、前記送信手段に対して、前記第１の信号の受信品質の通知を要求し、
前記送信手段は、前記監視手段からの要求に応じて、前記対向装置から前記第１の信号の受信品質を取得すること
を特徴とする付記２０又は２１に記載の伝送システム。
【０１７５】
［付記２３］
前記複数の伝送装置は、前記送信手段を複数有し、
前記監視手段は、前記複数の送信手段から送信された第１の信号のうち、受信品質が所定の閾値よりも高い第１の信号を送信した送信手段に対して、前記第１の信号の強度の調整を要求すること
を特徴とする付記２０乃至２２のいずれかに記載の伝送システム。
【０１７６】
［付記２４］
前記監視手段は、前記複数の送信手段のそれぞれから送信された全ての第１の信号の受信品質が所定の閾値よりも低くなるまで、前記送信手段に対して前記第１の信号の強度の調整を要求すること
を特徴とする付記２０乃至２３のいずれかに記載の伝送システム。
【０１７７】
［付記２５］
受信する信号の強度に基づいて、前記伝送路に障害が生じたことを検出する障害検出手段を有し、
前記監視手段は、前記障害検出手段から前記伝送路に障害が生じたことを通知された場合に、前記送信手段に対して前記第１の信号の強度の調整を要求すること
を特徴とする付記２０乃至２４のいずれかに記載の伝送システム。
【０１７８】
［付記２６］
第１の信号を送信し、
前記第１の信号を補償するためのダミー信号を生成し、
前記第１の信号と、前記ダミー信号とを合成し、
前記第１の信号と前記ダミー信号とを合成した第２の信号の強度が一定になるように、生成する前記ダミー信号の強度を調整すること
を特徴とする伝送方法。
【０１７９】
［付記２７］
前記第２の信号の強度を測定し、
前記測定した前記第２の信号の強度が一定になるように、生成する前記ダミー信号の強度を決定すること
を特徴とする付記２６に記載の伝送方法。
【０１８０】
［付記２８］
前記第２の信号を伝送するための伝送路に障害が生じた場合に、前記ダミー信号の生成を開始すること
を特徴とする付記２６又は２７に記載の伝送方法。
【０１８１】
［付記２９］
前記伝送路に障害が生じてから所定の時間経過後に、前記ダミー信号の生成を開始すること
を特徴とする付記２８に記載の伝送方法。
【０１８２】
［付記３０］
前記ダミー信号の生成の要求に応じて、前記ダミー信号の生成を開始すること
を特徴とする付記２６又は２７に記載の伝送方法。
【０１８３】
［付記３１］
前記伝送路に障害が生じたことに応じて、前記ダミー信号の生成を開始することを要求すること
を特徴とする付記３０に記載の伝送方法。
【０１８４】
［付記３２］
前記第１の信号を受信する対向装置における前記第１の信号の受信品質に基づいて、前記第１の信号の強度を調整すること
を特徴とする付記２６乃至３１のいずれかに記載の伝送方法。
【０１８５】
［付記３３］
前記第１の信号の受信品質が所定の閾値よりも高い場合に、前記第１の信号の強度の調整を要求すること
を特徴とする付記３２に記載の伝送方法。
【０１８６】
［付記３４］
複数の前記第１の信号が送信される場合、前記複数の第１の信号のうち受信品質が所定の閾値よりも高い第１の信号について、前記第１の信号の強度の調整を要求すること
を特徴とする付記３２又は３３に記載の伝送方法。
【０１８７】
［付記３５］
前記複数の第１の信号の全ての受信品質が所定の閾値よりも低くなるまで、前記第１の信号の強度の調整を要求すること
を特徴とする付記３２乃至３４のいずれかに記載の伝送方法。
【０１８８】
［付記３６］
受信する信号の強度に基づいて、前記伝送路に障害が生じたことを検出し、
前記伝送路に障害が生じたことを検出した場合に、前記第１の信号の強度の調整を要求すること
を特徴とする付記３２乃至３５のいずれかに記載の伝送方法。
【０１８９】
［付記３７］
第１の信号を送信する処理と、
前記第１の信号を補償するためのダミー信号を生成する処理と、
前記第１の信号と、前記ダミー信号とを合成する処理と、
前記第１の信号と前記ダミー信号とを合成した第２の信号の強度が一定になるように、生成する前記ダミー信号の強度を調整する処理と
をコンピュータに実行させることを特徴とするプログラム。
【０１９０】
［付記３８］
前記第２の信号の強度を測定する処理と、
前記測定した前記第２の信号の強度が一定になるように、生成する前記ダミー信号の強度を決定する処理と
を含むことを特徴とする付記３７に記載のプログラム。
【０１９１】
［付記３９］
前記第２の信号を伝送するための伝送路に障害が生じた場合に、前記ダミー信号の生成を開始する処理
を含むことを特徴とする付記３７又は３８に記載の伝送方法。
【０１９２】
［付記４０］
前記伝送路に障害が生じてから所定の時間経過後に、前記ダミー信号の生成を開始する処理
を含むことを特徴とする付記３９に記載のプログラム。
【０１９３】
［付記４１］
前記ダミー信号の生成の要求に応じて、前記ダミー信号の生成を開始する処理
を含むことを特徴とする付記３７又は３８に記載のプログラム。
【０１９４】
［付記４２］
前記伝送路に障害が生じたことに応じて、前記ダミー信号の生成を開始することを要求する処理
を含むことを特徴とする付記４１に記載のプログラム。
【０１９５】
［付記４３］
前記第１の信号を受信する対向装置における前記第１の信号の受信品質に基づいて、前記第１の信号の強度を調整する処理
を含むことを特徴とする付記３７乃至４２のいずれかに記載のプログラム。
【０１９６】
［付記４４］
前記第１の信号の受信品質が所定の閾値よりも高い場合に、前記第１の信号の強度の調整を要求する処理
を含むことを特徴とする付記４３に記載のプログラム。
【０１９７】
［付記４５］
複数の前記第１の信号が送信される場合、前記複数の第１の信号のうち受信品質が所定の閾値よりも高い第１の信号について、前記第１の信号の強度の調整を要求する処理
を含むことを特徴とする付記４３又は４４に記載のプログラム。
【０１９８】
［付記４６］
前記複数の第１の信号の全ての受信品質が所定の閾値よりも低くなるまで、前記第１の信号の強度の調整を要求する処理
を含むことを特徴とする付記４３乃至４５のいずれかに記載のプログラム。
【０１９９】
［付記４７］
受信する信号の強度に基づいて、前記伝送路に障害が生じたことを検出する処理と、
前記伝送路に障害が生じたことを検出した場合に、前記第１の信号の強度の調整を要求する処理と
を含むことを特徴とする付記４３乃至４６のいずれかに記載のプログラム。
【０２００】
この出願は、２０１３年９月２４日に出願された日本出願特願２０１３−１９６４８３を基礎とする優先権を主張し、その開示の全てをここに取り込む。
【０２０１】
以上、実施形態を参照して本願発明を説明したが、本願発明は上記実施形態に限定されものではない。本願発明の構成や詳細には、本願発明のスコープ内で当業者が理解し得る様々な変更をすることができる。
【符号の説明】
【０２０２】
１、１−１  トランク局
２  ブランチ局
３  伝送路
４  光中継器
５  分岐装置（ＯＡＤＭ−ＢＵ）
６  通信路
７、７−１、７−２、７−３、１００  伝送装置
８、８−１、８−２  光カプラ
９  監視装置
５０  光ＡＤＤ／ＤＲＯＰ部
７０  光送受信部
７０’  送信部
７１  光合分波部
７２  監視部
７１０  合成部
７１１  生成部
７１２  測定部
７１３  フィードバック部
７１４  光分波部
７１５  障害検出部
【図１】
2015045311.tif 000003
【図２】
2015045311.tif 000004
【図３】
2015045311.tif 000005
【図４】
2015045311.tif 000006
【図５】
2015045311.tif 000007
【図６】
2015045311.tif 000008
【図７】
2015045311.tif 000009
【図８】
2015045311.tif 000010
【図９】
2015045311.tif 000011
【図１０】
2015045311.tif 000012
【図１１】
2015045311.tif 000013
【図１２】
2015045311.tif 000014
【図１３】
2015045311.tif 000015
【図１４】
2015045311.tif 000016
【図１５】
2015045311.tif 000017
【図１６】
2015045311.tif 000018
【図１７】
2015045311.tif 000019
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
第１の信号を送信する送信手段と、
前記送信手段が送信する第１の信号を補償するためのダミー信号を生成する生成手段と、
前記第１の信号と、前記ダミー信号とを合成する合成手段と、を有し、
前記生成手段は、前記第１の信号と前記ダミー信号とを合成した第２の信号の強度が一定になるように、生成する前記ダミー信号の強度を調整すること
を特徴とする伝送装置。
【請求項２】
前記第２の信号の強度を測定する測定手段を有し、
前記生成手段は、前記測定手段が測定した前記第２の信号の強度が一定になるように、生成する前記ダミー信号の強度を決定すること
を特徴とする請求項１に記載の伝送装置。
【請求項３】
前記生成手段は、前記第２の信号を伝送するための前記伝送路に障害が生じてから所定の時間経過後に、前記ダミー信号の生成を開始すること
を特徴とする請求項１又は２に記載の伝送装置。
【請求項４】
前記生成手段に対してダミー信号の生成を要求する監視手段を有し、
前記生成手段は、前記監視手段からの要求に応じて、前記ダミー信号の生成を開始することを特徴とする請求項１又は２に記載の伝送装置。
【請求項５】
前記監視手段は、前記第１の信号を受信する対向装置における前記第１の信号の受信品質が所定の閾値よりも高い場合に、前記送信手段に対して前記第１の信号の強度の調整を要求すること
を特徴とする請求項４に記載の伝送装置。
【請求項６】
前記送信手段を複数有し、
前記監視手段は、前記複数の送信手段から送信された第１の信号のうち、受信品質が所定の閾値よりも高い第１の信号を送信した送信手段に対して、前記第１の信号の強度の調整を要求すること
を特徴とする請求項４又は５に記載の伝送装置。
【請求項７】
前記監視手段は、前記複数の送信手段のそれぞれから送信された全ての第１の信号の受信品質が所定の閾値よりも低くなるまで、前記送信手段に対して前記第１の信号の強度の調整を要求すること
を特徴とする請求項４乃至６のいずれかに記載の伝送装置。
【請求項８】
受信する信号の強度に基づいて、前記伝送路に障害が生じたことを検出する障害検出手段を有し、
前記監視手段は、前記障害検出手段から前記伝送路に障害が生じたことを通知された場合に、前記送信手段に対して前記第１の信号の強度の調整を要求すること
を特徴とする請求項４乃至７のいずれかに記載の伝送装置。
【請求項９】
第１の信号を送信する送信手段と、
前記送信手段が送信する第１の信号を補償するためのダミー信号を生成する生成手段と、
前記第１の信号と、前記ダミー信号とを合成する合成手段と、を有する複数の伝送装置を含み、
前記生成手段は、前記第１の信号と前記ダミー信号とを合成した第２の信号の強度が一定になるように、生成する前記ダミー信号の強度を調整すること
を特徴とする伝送システム。
【請求項１０】
第１の信号を送信し、
前記第１の信号を補償するためのダミー信号を生成し、
前記第１の信号と、前記ダミー信号とを合成し、
前記第１の信号と前記ダミー信号とを合成した第２の信号の強度が一定になるように、生成する前記ダミー信号の強度を調整すること
を特徴とする伝送方法。
【手続補正２】
【補正対象書類名】図面
【補正対象項目名】図１７
【補正方法】変更
【補正の内容】
【図１７】
2015045311.tif 000020
【国際調査報告】
2015045311.tif 000021
2015045311.tif 000022
2015045311.tif 000023
2015045311.tif 000024